(57)【要約】      （修正有）【課題】塵取り口具に凹面排水溝溝幅サイズに合わせた凹面溝用ゴミ掬い口を適宜設定可能とし、溝ゴミを取り易くして清掃労力負担解消・能率化に資する。【解決手段】プラスチック系等適宜素材の薄厚シートを形成素材とし、下方前方に折り曲げた口長ゴミ掬い口部１ａ、既成塵取り底板固定部１ｂ、ゴミ横漏れ防止板１ｄを一体的に設け、口長ゴミ掬い口部１ａに更に凹面排水溝溝幅サイズ同幅の凹面溝用ゴミ掬い口部１ｃを適宜鋏等でカット１ｅし設定可能としたもので、既成塵取り４へ装着、凹面溝用ゴミ掬い口部１ｃを凹面排水溝５に合わせ置くことでそれ１ｃは溝内に入り込み、その先端辺は素材の弾力効果で溝底に柔軟に圧着、従って溝ごみは取り残しなく既成塵取り４内に掃き取れる。【選択図】図２
0003156295.tif 000002
【実用新案登録請求の範囲】
【請求項１】
文具下敷きの弾力・反発力を持つ耐久性プラスチック系等適宜素材の薄厚シートを形成素材とし、下方前方に折り曲げた口長ゴミ掬い口部を設け、その中に更に溝幅サイズと同幅の凹面溝用ゴミ掬い口部を適宜鋏等でカットし設けることで、凹面溝ゴミを円滑に掃き取れるようにしたことを特徴とする、既成塵取りに装着して使用する溝幅サイズカット式凹面溝用塵取り口具。
【考案の詳細な説明】
【技術分野】
【０００１】  本考案は、ゴミ掬い口を口長にし折り曲げ、その一部に溝幅に合わせ凹面溝用ゴミ掬い口を設ける塵取り口具に関するものである。
【背景技術】
【０００２】  マンション等建物内の廊下やベランダの排水溝は、平面床に対し凹面段差となって設けられている。その清掃の際、既成品塵取りは成型固定されたサイズであるため、そのゴミ掬い口は排水溝溝幅サイズに合わず、そのため排水溝と塵取りの底面や側面の間に隙間が生じ、そこから掃き込むゴミ・砂塵が抜け飛び散ることで、繰り返し掃き取り動作を強いられたり、また、複数の清掃用具の取替え使用による低姿勢、中腰姿勢の無理な作業姿勢を強いられたり、凹面排水溝のゴミ清掃作業は、面倒で煩わしく、且つ労力負担の伴う非能率的な作業となっている。
【考案の概要】
【考案が解決しようとする課題】
【０００３】  凹面排水溝清掃作業が労力負担の伴う非能率的な作業となっている原因は、既成の塵取りが成型固定されたものであるため、その溝幅にぴったり合致しないためである。従って、どの凹面段差排水溝溝幅サイズにも適宜自由に合わせ設けることができる溝用ゴミ掬い口を持つ塵取り口具を考案し、また、それを使用することで凹面溝ゴミ清掃だけでなく、平面床や屋外のゴミ清掃作業にも同時一貫作業で楽な立ち姿勢のまま続けられるようにすること、そしてそれは既製塵取りに簡単に取り付けて使用できることを解決の課題とした。
【課題を解決するための手段】
【０００４】  本考案は、既成塵取りに装着して使用する凹面溝用塵取り口具として、溝用文具下敷きのような弾力・反発力を持つ耐久性のプラスチック系等適宜素材の鋏等でカット可能な薄厚シートを形成素材にし、下方前方に折り曲げた口長ゴミ掬い口部及び既成塵取りに装着固定する既成塵取り底板固定部、ゴミ横漏れ防止板を一体的に設け、その口長ゴミ掬い口部の中に、更に、凹面溝ゴミを掬い取るための凹面溝用ゴミ掬い口部を溝幅サイズに合わせ適宜鋏等でカットし設けられるようにしたことで課題を解決している。なお、異なる溝幅サイズの溝が複数ある場合もその数分カットすることで対応できる。本考案に弾力・反発力の特性を持つ素材の薄厚シートを採用し、口長ゴミ掬い口部を下方前方に折り曲げるのは、口長ゴミ掬い口部の先端辺を接地面に圧着させるためで、同時に同部にカットし設けた凹面溝用ゴミ掬い口部を、凹面溝内に入り込ませその先端辺を溝底に圧着させるためである。その圧着反発力による既成塵取り底板固定部の既成塵取り底板からの接着面剥がれ防止のため、既成塵取り底板固定部の裏面に、既成塵取りの塵取り口を挿し込み接着固定させる既成塵取り口固定ゴム板を設ける。当固定ゴム板及び既成塵取り底板固定部には、既成塵取りに本考案を取り付け易くするため予め両面接着テープを貼付しておく。
【考案の効果】
【０００５】  本考案を既製塵取りに装着し、凹面排水溝溝上に同溝幅サイズと同幅にカットし設けた凹面溝用ゴミ掬い口部を合わせ置くことで、それは凹面排水溝内に入り込み溝底に圧着するので、溝内ゴミは取り残すことなく円滑に塵取り内に掃き入れでき、従来の、面倒で煩わしく労力負担の伴なった非能率的な凹面排水溝溝ゴミ清掃作業の悩みは解消される。また、溝幅の異なる凹面溝用ゴミ掬い口部を複数設けそれぞれ適宜対応できることや溝以外の平面床や屋外のゴミ清掃作業にもそのまま一貫継続的に適用し、楽な立ち姿勢のまま清掃作業が続けられることも、本考案の大きな効果である。
【図面の簡単な説明】
【０００６】
【図１】本考案の斜視図である。
【図２】本考案の既製一般塵取りに装着した使用状態を示す斜視図である。
【考案を実施するための形態】
【０００７】  本考案を既製塵取りに装着し、口長ゴミ掬い口部に凹面排水溝の溝幅サイズと同じサイズ幅にカットし設けた凹面溝用ゴミ掬い口部を当該排水溝上に合わせ置くことで、その凹面溝用ゴミ掬い口部は溝内に入り込み、その先端辺は溝底に圧着するので溝内の砂塵・ゴミは取り残すことなく円滑に既成塵取り内に掃き込み可能となる。その際、凹面溝用ゴミ掬い口部以外も同時に平面床に接地し圧着状態となるのでその辺りのゴミもそのまま同時に掃き込むことができる。また、溝幅が異なった排水溝が複数ある場合でも、同様その溝幅サイズのカットを複数入れることでその排水溝の数分同様適用可能となる。なお、本考案は排水溝清掃以外の屋内・屋外の使用でも凹面溝用ゴミ掬い口部も含め口長ゴミ掬い口部の先端辺全体が同面に接地圧着するので、通常の既成塵取りを使用する状態でゴミは塵取り内に掃き入れることができる。本考案の既成塵取りへの装着は簡単で、既成塵取りのゴミ掬い口を挟み板状に設けた既成塵取り口固定ゴム板に挿し込み、次いで当既成塵取りの底板上に合わせ既成塵取り底板固定部を、それぞれ予め貼付してある接着テープのはくり紙をはがし張り付けるだけである。
【実施例】
【０００８】  以下、添付図面に従って一実施例を説明する。１は鋏、カッター等でカット可能の弾力・反発力を持つ耐久性の薄厚プラスチックシート等適宜素材の溝幅サイズカット式凹面溝用塵取り口具本体、１ａは口長ゴミ掬い口部、１ｂは既成塵取り底板固定部で、その口長ゴミ掬い口部１ａ内に、更に、凹面溝ゴミを掬い取るための凹面溝用ゴミ掬い口部１ｃを溝幅サイズに合わせ適宜鋏等でカット１ｅし設ける。１ｄはゴミ横漏れ防止板で、口長ゴミ掬い口部１ａ、既成塵取り底板固定部１ｂとともに当該シートに一体的に設ける。口長ゴミ掬い口部１ａは、その中にカット１ｅし設けた凹面溝用ゴミ掬い口部１ｃを凹面溝内に挿入しその先端辺を凹面排水溝６の溝底に圧着させる必要から、口長にし下方前方に折り曲げた。以上構成の本考案を既製の塵取り４に装着し凹面溝用ゴミ掬い口部１ｃを凹面排水溝５上に合わせ置くことで、凹面溝用ゴミ掬い口部１ｃは排水溝内に入り込み、その先端辺は素材の弾力等特性効果により溝底に隙間なく圧着する。従って溝内の砂塵・ゴミを既成塵取り４に掃き込んだ際、そのゴミ等は飛び抜けることなく、取り残しなく凹面溝用ゴミ掬い口部１ｃより既成塵取り４内に掃き入れられる。本考案の既成塵取り４への装着は、既成塵取り口固定ゴム板２に既成塵取りゴミ掬い口を挿し込み、次いで既成塵取り底板固定部１ｂを既成塵取り底板上に合わせ、予め貼付した接着テープ３のはくり紙をはがして接着固定する。
【符号の説明】
【０００９】１    溝幅サイズカット式凹面溝用塵取り口具本体
１ａ  口長ゴミ掬い口部
１ｂ  既成塵取り底板固定部
１ｃ  凹面溝用ゴミ掬い口部
１ｄ  ゴミ横漏れ防止板
１ｅ  カット
２    既成塵取り口固定ゴム板
３    接着テープ
４    既成塵取り
５    凹面排水溝
【図１】
0003156295.tif 000003
【図２】
0003156295.tif 000004